(57)【特許請求の範囲】
【請求項１】
圧縮モードの制御方法であって、前記方法は、
ネットワーク側が、ユーザ装置（ＵＥ）が圧縮モードを開始せずに同時に測定できる他のキャリア周波数の個数であるＵＥのマルチキャリア周波数測定能力を取得するステップと、
ＵＥが周波数間／システム間のハンドオーバーを行う必要がある場合、ネットワーク側が、前記ＵＥのマルチキャリア周波数測定能力に応じてＵＥの圧縮モードを制御するステップとを含み、
前記ネットワーク側が、ＵＥの圧縮モードを制御するステップは、
前記ＵＥのマルチキャリア周波数測定能力が、測定する周波数間／システム間隣接セルキャリアの個数より小さく、且つ、現在の無線品質がよりよい場合、測定する周波数間／システム間隣接セルキャリアの個数をＵＥのマルチキャリア周波数測定能力以下に縮減し、ＵＥが圧縮モードを開始する必要がないと決定することを含むことを特徴とする圧縮モードの制御方法。
【請求項２】
ネットワーク側がＵＥの圧縮モードを制御するステップが、
前記ＵＥのマルチキャリア周波数測定能力が、測定する周波数間／システム間隣接セルキャリア個数以上である場合、前記ＵＥが圧縮モードを開始する必要がないと決定すること、および／または
前記ＵＥのマルチキャリア周波数測定能力が、測定する周波数間／システム間隣接セルキャリア個数より小さく、且つ、現在の無線品質がよくない場合、測定する周波数間／システム間隣接セルキャリアの個数を縮減せず、前記ＵＥが圧縮モードを開始する必要があると決定することをさらに含むことを特徴とする、請求項１に記載の方法。
【請求項３】
前記ネットワーク側がＵＥのマルチキャリア周波数測定能力を取得するステップは、
ネットワーク側がマルチキャリア周波数測定能力問合せコマンドをＵＥに送信し、
前記ＵＥが前記マルチキャリア周波数測定能力問合せコマンドに応じて自身のマルチキャリア周波数測定能力をネットワーク側に返し、又は、
ＵＥがそのマルチキャリア周波数測定能力をネットワーク側に自動的に通知することであることを特徴とする
請求項１に記載の方法。
【請求項４】
前記ＵＥがそのマルチキャリア周波数測定能力をネットワーク側に自動的に通知することは、
ＵＥが新規追加の無線リソース制御ＲＲＣメッセージを介してそのマルチキャリア周波数測定能力をネットワーク側に通知し、又は、既存のＲＲＣメッセージを拡張することで、そのマルチキャリア周波数測定能力をネットワーク側に通知することであることを特徴とする
請求項３に記載の方法。
【請求項５】
前記既存のＲＲＣメッセージを拡張することで、そのマルチキャリア周波数測定能力をネットワーク側に通知することは、
前記ＵＥが無線ネットワークリソース接続確立完了メッセージ又は無線装置能力情報メッセージを拡張することで、前記拡張されたメッセージには、圧縮モードを開始しないマルチキャリア周波数測定サポート個数の指示情報要素が含まれることであることを特徴とする
請求項４に記載の方法。
【請求項６】
前記既存のＲＲＣメッセージを拡張することで、そのマルチキャリア周波数測定能力をネットワーク側に通知することは、
圧縮モードを開始しないマルチキャリア周波数測定サポート個数が１である場合に、前記ＵＥが無線ネットワークリソース接続確立完了メッセージ又は無線装置能力情報メッセージを拡張しないことであることを特徴とする
請求項４に記載の方法。
【請求項７】
ＵＥがネットワーク側に通知するメッセージには、圧縮モードを開始しないマルチキャリア周波数測定サポート個数が１であることを示す或いは圧縮モードを開始しないマルチキャリア周波数測定サポート個数の指示情報要素が含まれない、且つ隣接する周波数測定非圧縮モード指示が含まれる或いは周波数間測定非圧縮モード指示が含まれる場合、前記ＵＥが、隣接する周波数測定非圧縮モード指示又は周波数間測定非圧縮モード指示の周波数で圧縮モードを開始する必要がないことを特徴とする
請求項１に記載の方法。
【請求項８】
マルチキャリア周波数測定能力の指示情報要素の数値が２とする場合に、圧縮モードを開始する必要がなくても、他の２個のキャリア周波数を測定できることを示すことを特徴とする
請求項１に記載の方法。
【請求項９】
マルチキャリア周波数測定能力の指示情報要素の数値が３とする場合に、圧縮モードを開始する必要がなくても、他の３個のキャリア周波数を測定できることを示すことを特徴とする
請求項１に記載の方法。
【請求項１０】
前記ネットワーク側は、無線ネットワーク制御装置であることを特徴とする
請求項１〜９のいずれか１項に記載の方法。
【請求項１１】
圧縮モードの制御システムであって、前記システムは、ネットワーク側とＵＥとを含み、ここで、
前記ネットワーク側は、ユーザ装置（ＵＥ）が圧縮モードを開始せずに同時に測定できる他のキャリア周波数の個数であるＵＥのマルチキャリア周波数測定能力を取得し、及び、ＵＥが周波数間／システム間のハンドオーバーを行う必要がある場合、前記ＵＥのマルチキャリア周波数測定能力に応じてＵＥの圧縮モードを制御することに用いられ、
前記ネットワーク側が、ＵＥの圧縮モードを制御することは、
前記ＵＥのマルチキャリア周波数測定能力が、測定する周波数間／システム間隣接セルキャリアの個数より小さく、且つ、現在の無線品質がよりよい場合、測定する周波数間／システム間隣接セルキャリアの個数をＵＥのマルチキャリア周波数測定能力以下に縮減し、ＵＥが圧縮モードを開始する必要がないと決定することを含むことを特徴とする圧縮モードの制御システム。
【請求項１２】
ネットワーク側がＵＥの圧縮モードを制御することが、
前記ＵＥのマルチキャリア周波数測定能力が、測定する周波数間／システム間隣接セルキャリア個数以上である場合、前記ＵＥが圧縮モードを開始する必要がないと決定すること、および／または
前記ＵＥのマルチキャリア周波数測定能力が、測定する周波数間／システム間隣接セルキャリア個数より小さく、且つ、現在の無線品質がよくない場合、測定する周波数間／システム間隣接セルキャリアの個数を縮減せず、前記ＵＥが圧縮モードを開始する必要があると決定することをさらに含むことを特徴とする、請求項１１に記載のシステム。
【請求項１３】
前記ネットワーク側がＵＥのマルチキャリア周波数測定能力を取得することは、
ネットワーク側がマルチキャリア周波数測定能力問合せコマンドをＵＥに送信し、
前記ＵＥが前記マルチキャリア周波数測定能力問合せコマンドに応じて自身のマルチキャリア周波数測定能力をネットワーク側に返し、又は、
ＵＥがそのマルチキャリア周波数測定能力をネットワーク側に自動的に通知することであることを特徴とする
請求項１１に記載のシステム。
【請求項１４】
前記ＵＥがそのマルチキャリア周波数測定能力をネットワーク側に自動的に通知することは、
ＵＥが新規追加の無線リソース制御ＲＲＣメッセージを介してそのマルチキャリア周波数測定能力をネットワーク側に通知し、又は、既存のＲＲＣメッセージを拡張することで、そのマルチキャリア周波数測定能力をネットワーク側に通知することであることを特徴とする
請求項１１に記載のシステム。
【請求項１５】
前記既存のＲＲＣメッセージを拡張することで、そのマルチキャリア周波数測定能力をネットワーク側に通知することは、
前記ＵＥが無線ネットワークリソース接続確立完了メッセージ又は無線装置能力情報メッセージを拡張することで、前記拡張されたメッセージには、圧縮モードを開始しないマルチキャリア周波数測定サポート個数の指示情報要素が含まれることであることを特徴とする
請求項１４に記載のシステム。
【請求項１６】
前記ネットワーク側は、無線ネットワーク制御装置であることを特徴とする
請求項１１〜１５のいずれか１項に記載のシステム。
【発明の詳細な説明】
【技術分野】
【０００１】
本発明は、マルチキャリア周波数高速ダウンリンクパケットアクセス技術に関し、特に、圧縮モードの制御方法及びシステムに関する。
【背景技術】
【０００２】
既存のセルラモバイル通信システムにおいて、周波数スペクトルリソースの利用率とシステム全体の容量を向上させるために、システムにおける基地局の送信電力をセル内に限定し、ユーザ装置（ＵＥ）が１つのセルから別のセルへ移動する過程において、当該ＵＥが受信する元のセルの信号は必ずますます弱くなり、移動先セルの信号はますます強くなる。ＵＥの通信品質を維持するためには、当該ＵＥを新たなセルにハンドオーバーする必要がある。
【０００３】
周波数分割多重（ＦＤＤ）モードにおいては、異周波数ハンドオーバー、ＦＤＤから時間分割多重（ＴＤＤ）へのハンドオーバー又はシステム間ハンドオーバーを行うために、ハンドオーバーされるターゲットセルについて測定する必要がある。ダウンリンク信号が時間的にずっと占用されば、ダウンリンクのデータを連続的に受信する必要があり、１セットのトランシーバーのみを持つＵＥにとっては、ダウンリンクの無線フレームにおいて一定のアイドルタイムスロットを生成できるメカニズムが必要であり、これは圧縮モードである。
【０００４】
ダウンリンク圧縮モードは、無線インターフェースのデータフレームにおいて様々な技術を用いてある時間帯の伝送データ「スロット」を生成し、このスロットにおいて、基地局がいかなるデータも送信せず、ＵＥも受信しない。これによって、ＵＥは、この時間帯を利用して測定することが可能となる。
【０００５】
ダウンリンク圧縮モードを使用する場合、ＵＥのアップリンク周波数が送信されている状態で、且つ測定される周波数とアップリンク周波数が比較的近い場合、アップリンク送信周波数が測定される周波数と干渉する可能性がある。測定の正確性を保証するために、この時、アップリンク送信を停止させる必要がある。これはアップリンク圧縮モードである。
【０００６】
アップリンク圧縮モードは、一般的に、拡散率半減、パンチング及び上位層スケジューリング等のような方法を採用するが、ダウンリンク圧縮モードは、前記パンチング以外の方法を採用できる。圧縮モードがシステムの性能に影響を与えるので、複数のキャリア周波数の信号を受信できるＵＥの受信機が徐々に現れ、こうすると、周波数間、システム間の測定を行う時、圧縮モードを開始しなくてもよい。
【０００７】
デュアルキャリア高速ダウンリンク・パケット・アクセス（ＤＣ−ＨＳＤＰＡ）機能をサポートする端末のダウンリンクセカンダリキャリア周波数測定は、無圧縮モード隣接周波数測定（Ａｄｊａｃｅｎｔ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）情報要素で表される。当該情報要素を含む場合、ＵＥが隣接周波数を測定する時に圧縮モードを開始する必要はなく、当該情報要素を含まない場合、ＵＥが隣接周波数を測定する時に圧縮モードを開始する必要がある。同時に、無圧縮モード周波数帯域間測定能力（Ｉｎｔｅｒ−ｂａｎｄ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）で表され、当該情報要素を含む場合、ＵＥが異なる周波数帯域のキャリアを測定する時に圧縮モードを開始する必要がないと意味し、当該情報要素を含まない場合、ＵＥが異なる周波数帯域のキャリアを測定する時に圧縮モードを開始する必要があると意味する。
【０００８】
技術の発展につれ、マルチキャリア周波数高速ダウンリンクパケットアクセス技術を従来のシステムに導入することが望まれ、この技術により、端末は、３つ又は４つのキャリアで高速ダウンリンクパケットアクセス技術を用いてデータを受信でき、それによって、ダウンリンクデータ速度が倍増され、４キャリア周波数高速ダウンリンクパケットアクセス（４Ｃ−ＨＳＤＰＡ）システムを例として、ダウンリンクに４つのキャリア（１つのプライマリキャリアと３つのセカンダリキャリア）があり、端末が３つのセカンダリキャリアを監視できる必要がある。端末が検出したセカンダリキャリアが３つより少なければ、４キャリア高速ダウンリンクパケットアクセス技術におけるあるカバレッジエリアでは、ＵＥがサービングセルの変更をリアルタイムで行うことができないことを招き、通話切断が簡単に生じることとなる。
【０００９】
上記問題を解決するために、従来のマルチキャリア高速ダウンリンクパケットアクセス技術において、システム間ハンドオーバー又は周波数間ハンドオーバーを行う必要がある場合、ＵＥがいずれも圧縮モードを開始する必要があり、対応するシステム間測定又は周波数間測定を行い、それによって、システムリソースの利用率が低くなり、システム性能に影響を及ぼす。
【発明の概要】
【発明が解決しようとする課題】
【００１０】
これを鑑みて、本発明の主な目的は、システムリソースの利用率を高め、システム性能を向上させることができる圧縮モードの制御方法及びシステムを提供することにある。
【課題を解決するための手段】
【００１１】
上記目的を実現するために、本発明の技術的解決案は以下のように提供される。
圧縮モードの制御方法は、
ネットワーク側がＵＥのマルチキャリア周波数測定能力を取得するステップと、
ＵＥが周波数間／システム間のハンドオーバーを行う必要がある場合、ネットワーク側が、前記ＵＥのマルチキャリア周波数測定能力に応じてＵＥが圧縮モードを開始する又は開始しないことを決定して制御するステップとを含む。
【００１２】
前記ネットワーク側がＵＥのマルチキャリア周波数測定能力を取得するステップは、
ネットワーク側がマルチキャリア周波数測定能力問合せコマンドをＵＥに送信し、
前記ＵＥが前記マルチキャリア周波数測定能力問合せコマンドに応じて自身のマルチキャリア周波数測定能力をネットワーク側に返し、又は、
ＵＥがそのマルチキャリア周波数測定能力をネットワーク側に自動的に通知することである。
【００１３】
前記ＵＥがそのマルチキャリア周波数測定能力をネットワーク側に自動的に通知することは、ＵＥが新規追加の無線リソース制御ＲＲＣメッセージを介してそのマルチキャリア周波数測定能力をネットワーク側に通知し、又は、既存のＲＲＣメッセージを拡張することで、そのマルチキャリア周波数測定能力をネットワーク側に通知することである。
【００１４】
前記既存のＲＲＣメッセージを拡張することで、そのマルチキャリア周波数測定能力をネットワーク側に通知することは、前記ＵＥが無線ネットワークリソース接続確立完了メッセージ又は無線装置能力情報メッセージを拡張することで、前記拡張されたメッセージには、圧縮モードを開始しないマルチキャリア周波数測定サポート個数の指示情報要素が含まれることである。
前記既存のＲＲＣメッセージを拡張することで、そのマルチキャリア周波数測定能力をネットワーク側に通知することには、圧縮モードを開始しないマルチキャリア周波数測定サポート個数が１である場合には、前記ＵＥが無線ネットワークリソース接続確立完了メッセージ又は無線装置能力情報メッセージを拡張しないことによって通知することが含まれる。
【００１５】
前記ネットワーク側が、ＵＥが圧縮モードを開始する又は開始しないことを決定することは、前記ＵＥのマルチキャリア周波数測定能力が周波数間／システム間の測定要求を満たすかどうかに応じてネットワーク側が決定することであり、前記ＵＥのマルチキャリア周波数測定能力が、測定要求を満たさない場合、前記ＵＥが圧縮モードを開始する必要がある、と決定することであり、又は、
無線品質が予め設定された条件を満たし、且つＵＥのマルチキャリア周波数測定個数が、圧縮モードを開始しないで済むための周波数波数間／システム間の測定要求を既に満たしている場合、前記ＵＥが圧縮モードを開始する必要がない、と決定することである。
【００１６】
ＵＥがネットワーク側に通知するメッセージが、圧縮モードを開始しなくてもマルチキャリア周波数測定ができる個数が１であることを示す場合、圧縮モードを開始しないマルチキャリア周波数測定サポート個数の指示情報要素が含まれておらず且つ隣接する周波数測定非圧縮モード指示が含まれる場合、または圧縮モードを開始しないマルチキャリア周波数測定サポート個数の指示情報要素が含まれておらず且つ周波数間測定非圧縮モード指示が含まれる場合には、前記ＵＥが、隣接する周波数測定非圧縮モード指示または周波数間測定非圧縮モード指示の周波数で圧縮モードを開始する必要がない。
マルチキャリア周波数測定能力の指示情報要素の数値が２である場合には、圧縮モードを開始しなくても、他の２個のキャリア周波数を測定できる。
マルチキャリア周波数測定能力の指示情報要素の数値が３である場合には、圧縮モードを開始しなくても、他の３個のキャリア周波数を測定できる。
前記ネットワーク側は、無線ネットワーク制御装置（ＲＮＣ）である。
圧縮モードの制御システムは、ネットワーク側とＵＥを含む。
前記ネットワーク側は、ＵＥのマルチキャリア周波数測定能力を取得し、及び、ＵＥが周波数間／システム間のハンドオーバーを行う必要がある場合、前記ＵＥのマルチキャリア周波数測定能力に応じてＵＥが圧縮モードを開始する又は開始しないことを決定して制御することに用いられる。
【００１７】
前記ネットワーク側がＵＥのマルチキャリア周波数測定能力を取得することは、
ネットワーク側がマルチキャリア周波数測定能力問合せコマンドをＵＥに送信し、
前記ＵＥが前記マルチキャリア周波数測定能力問合せコマンドに応じて自身のマルチキャリア周波数測定能力をネットワーク側に返し、又は、
ＵＥがそのマルチキャリア周波数測定能力をネットワーク側に自動的に通知することである。
【００１８】
前記ＵＥがそのマルチキャリア周波数測定能力をネットワーク側に自動的に通知することは、ＵＥが新規追加の無線リソース制御ＲＲＣメッセージを介してそのマルチキャリア周波数測定能力をネットワーク側に通知し、又は、既存のＲＲＣメッセージを拡張することで、そのマルチキャリア周波数測定能力をネットワーク側に通知することである。
【００１９】
前記既存のＲＲＣメッセージを拡張することで、そのマルチキャリア周波数測定能力をネットワーク側に通知することは、前記ＵＥが無線ネットワークリソース接続確立完了メッセージ又は無線装置能力情報メッセージを拡張することで、前記拡張されたメッセージには、圧縮モードを開始しないマルチキャリア周波数測定サポート個数の指示情報要素が含まれることである。
【００２０】
前記ネットワーク側が、ＵＥが圧縮モードを開始する又は開始しないことを決定することは、前記ＵＥのマルチキャリア周波数測定能力が周波数間／システム間の測定要求を満たす場合、前記ＵＥが圧縮モードを開始する必要がない、前記ＵＥのマルチキャリア周波数測定能力が測定要求を満たさない場合、前記ＵＥが圧縮モードを開始する必要があり、又は、
無線品質が予め設定された条件を満たし、且つＵＥが圧縮モードを開始しないマルチキャリア周波数測定個数が既に周波数間／システム間の測定要求を満たした場合、前記ＵＥが圧縮モードを開始する必要がないことである。
前記ネットワーク側は、無線ネットワーク制御装置である。
【００２１】
本発明に係る圧縮モードの制御方法及びシステムは、ネットワーク側（例えばＲＮＣ）が、ＵＥのマルチキャリア周波数測定能力を取得し、前記ＵＥが周波数間／システム間のハンドオーバーを行う必要がある場合、前記ＵＥのマルチキャリア周波数測定能力及び既存の無線品質に応じてＵＥが圧縮モードを開始する又は開始しないことを制御する。本発明によれば、ＵＥが周波数間／システム間のハンドオーバーを行う必要がある場合、圧縮モードを開始せずに測定を行うことができ、それによって、システムリソースの利用率を高め、システム性能を向上させることができる。
【図面の簡単な説明】
【００２２】
【図１】本発明に係る圧縮モードの制御方法のフローチャートである。
【図２】本発明に係る実施形態１においてＵＥのマルチキャリア周波数測定能力を伝送する方法のフローチャートである。
【図３】本発明に係る実施形態２においてＵＥのマルチキャリア周波数測定能力を伝送する方法のフローチャートである。
【図４】本発明に係る実施形態３においてＲＮＣが測定制御メッセージを送信する方法のフローチャートである。
【発明を実施するための形態】
【００２３】
本発明の基本的な着想は、ネットワーク側（例えばＲＮＣ）がＵＥのマルチキャリア周波数測定能力を取得し、前記ＵＥが周波数間／システム間のハンドオーバーを行う必要がある場合、前記ＵＥのマルチキャリア周波数測定能力及び既存の無線品質に応じてＵＥが圧縮モードを開始する又は開始しないことを制御することである。
【００２４】
図１は本発明に係る圧縮モードの制御方法のフローチャートであり、図１に示すように、当該方法は、以下のステップを含む。
ステップ１０１：ネットワーク側がＵＥのマルチキャリア周波数測定能力を取得する。
ここで、一般的に、ネットワーク側の無線ネットワーク制御装置（ＲＮＣ）がＵＥのマルチキャリア周波数測定能力を取得して相応な制御を行う。
【００２５】
本発明において、ＵＥのマルチキャリア周波数測定能力は、即ちＵＥによってサポートされる、圧縮モードを開始しないマルチキャリア周波数測定能力である。
【００２６】
ネットワーク側がＵＥのマルチキャリア周波数測定能力を取得することは、ネットワーク側がマルチキャリア周波数測定能力問合せコマンドをＵＥに送信し、前記ＵＥが前記マルチキャリア周波数測定能力問合せコマンドに応じて自身のマルチキャリア周波数測定能力をネットワーク側に返すことである。
【００２７】
ネットワーク側がＵＥのマルチキャリア周波数測定能力を取得することは、ＵＥがそのマルチキャリア周波数測定能力をネットワークに自動的に通知することであってもよい。ここで、ＵＥが新規追加のＲＲＣメッセージを介してそのマルチキャリア周波数測定能力をネットワークに通知してよく、既存のＲＲＣメッセージを拡張することで、そのマルチキャリア周波数測定能力をネットワーク側に通知してもよい。例えば、無線ネットワークリソース接続確立完了（ＲＲＣ  Ｃｏｎｎｅｃｔｉｏｎ  Ｓｅｔｕｐ  Ｃｏｍｐｌｅｔｅ）メッセージ又は無線装置能力情報（ＵＥ  Ｃａｐａｂｉｌｉｔｙ  Ｉｎｆｏｒｍａｔｉｏｎ）メッセージを拡張することで、前記拡張されたメッセージには、圧縮モードを開始しないマルチキャリア周波数測定サポート個数の指示情報要素（Ｍｕｌｔｉ  Ｆｒｅｑｕｅｎｃｙ  ｍｅａｓｕｒｅｍｅｎｔｓ  Ｎｕｍｂｅｒ  ｗｉｔｈｏｕｔ  ｃｏｍｐｒｅｓｓｅｄ  ｍｏｄｅ）が含まれ、当該情報要素の値がｎである場合、ＵＥが圧縮モードを開始せずに他のｎ個のキャリア周波数を同時に測定できることを意味し、ここで、ｎ≧１である。
【００２８】
実際の応用において、ＵＥのマルチキャリア周波数測定能力を示すように、サポートされるマルチキャリア能力を含むメッセージに、ＵＥによってサポートされる圧縮モードを開始する必要がないマルチキャリア個数指示情報要素（Ｍｕｌｔｉ  Ｆｒｅｑｕｅｎｃｙ  ｍｅａｓｕｒｅｍｅｎｔｓ  Ｎｕｍｂｅｒ  ｗｉｔｈｏｕｔ  ｃｏｍｐｒｅｓｓｅｄ  ｍｏｄｅ）を追加してよい、対応するプロトコル説明を表１又は表２に示す。
【００２９】
【表１】
0005990169.tif 000002
【００３０】
【表２】
0005990169.tif 000003
【００３１】
表１又は表２に示すように、メッセージには、Ｍｕｌｔｉ  Ｆｒｅｑｕｅｎｃｙ  ｍｅａｓｕｒｅｍｅｎｔｓ  Ｎｕｍｂｅｒ  ｗｉｔｈｏｕｔ  ｃｏｍｐｒｅｓｓｅｄ  ｍｏｄｅ）が含まれ、値がｎである場合、ＵＥが圧縮モードを開始する必要がない、他のｎ個キャリア周波数を同時に測定できると意味し、ここで、ｎ≧１である。
【００３２】
メッセージには、無圧縮モード隣接周波数測定（Ａｄｊａｃｅｎｔ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）及び／又は無圧縮モード周波数帯域間測定（Ｉｎｔｅｒ−ｂａｎｄ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）が含まれるが、圧縮モードを開始せず、サポートできる他のキャリア周波数測定個数（Ｍｕｌｔｉ  Ｆｒｅｑｕｅｎｃｙ  ｍｅａｓｕｒｅｍｅｎｔｓ  Ｎｕｍｂｅｒ  ｗｉｔｈｏｕｔ  ｃｏｍｐｒｅｓｓｅｄ  ｍｏｄｅ）が含まれない場合、無圧縮モード隣接周波数測定（Ａｄｊａｃｅｎｔ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）及び／又は無圧縮モード周波数帯域間測定（Ｉｎｔｅｒ−ｂａｎｄ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅ）がサポートする個数が１であることを意味する。Ａｄｊａｃｅｎｔ  Ｆｒｅｑｕｅｎｃｙ  ｍｅａｓｕｒｅｍｅｎｔｓ  ｗｉｔｈｏｕｔ  ｃｏｍｐｒｅｓｓｅｄ  ｍｏｄｅの値が１を含み、この意味と同じである。
【００３３】
ステップ１０２：ＵＥが周波数間／システム間のハンドオーバーを行う必要がある。
ステップ１０３：ネットワーク側が、前記ＵＥのマルチキャリア周波数測定能力に応じてＵＥが圧縮モードを開始する又は開始しないことを決定して制御する。
【００３４】
ここで、ネットワーク側が周波数間測定、システム間測定を行う時にＵＥが圧縮モードを開始するか否かを決定する方法は、前記ＵＥのマルチキャリア周波数測定能力（圧縮モードを開始しないマルチキャリア周波数測定個数）が既に周波数間／システム間測定の要求を満たした場合、圧縮モードを開始する必要がなく、満たさない場合、圧縮モードを開始し、又は、現在の無線品質がよりよくて（即ち予め設定された条件を満たし、例えば測定されたパイロット周波数の送信電力が予め設定された閾値より大きい）、ＵＥが圧縮モードを開始しないマルチキャリア周波数測定個数が既に周波数間／システム間測定の要求を満たした場合、マルチキャリア周波数測定の個数を縮減し、ＵＥの能力範囲で圧縮モードを開始しないことであってよい。
【００３５】
ネットワーク側が測定制御メッセージをＵＥに送信する時、決定結果をＵＥに通知して、ＵＥの測定を制御することができ、ネットワーク側がＵＥが圧縮モードを開始する必要があると決定した時、測定制御メッセージには、対応する圧縮モード情報が含まれる必要がある。
【００３６】
本発明は、圧縮モードの制御システムを更に提供し、当該システムは、ネットワーク側とＵＥとを含む。
前記ネットワーク側は、ＵＥのマルチキャリア周波数測定能力を取得し、及び、ＵＥが周波数間／システム間のハンドオーバーを行う必要がある場合、前記ＵＥのマルチキャリア周波数測定能力に応じてＵＥが圧縮モードを開始する又は開始しないことを決定して制御することに用いられる。
【００３７】
前記ネットワーク側がＵＥのマルチキャリア周波数測定能力を取得することは、
ネットワーク側がマルチキャリア周波数測定能力問合せコマンドをＵＥに送信し、
前記ＵＥが前記マルチキャリア周波数測定能力問合せコマンドに応じて自身のマルチキャリア周波数測定能力をネットワーク側に返し、又は、
ＵＥがそのマルチキャリア周波数測定能力をネットワーク側に自動的に通知することである。
【００３８】
前記ＵＥがそのマルチキャリア周波数測定能力をネットワーク側に自動的に通知することは、ＵＥが新規追加の無線リソース制御ＲＲＣメッセージを介してそのマルチキャリア周波数測定能力をネットワーク側に通知し、又は、既存のＲＲＣメッセージを拡張することで、そのマルチキャリア周波数測定能力をネットワーク側に通知することである。
【００３９】
前記既存のＲＲＣメッセージを拡張することで、そのマルチキャリア周波数測定能力をネットワーク側に通知することは、前記ＵＥが無線ネットワークリソース接続確立完了メッセージ又は無線装置能力情報メッセージを拡張することで、前記拡張されたメッセージには、圧縮モードを開始しないマルチキャリア周波数測定サポート個数の指示情報要素が含まれることである。
【００４０】
前記ネットワーク側が、ＵＥが圧縮モードを開始する又は開始しないことを決定することは、前記ＵＥのマルチキャリア周波数測定能力が周波数間／システム間の測定要求を満たす場合、前記ＵＥが圧縮モードを開始する必要がない、前記ＵＥのマルチキャリア周波数測定能力が測定要求を満たさない場合、前記ＵＥが圧縮モードを開始する必要があり、又は、
無線品質が予め設定された条件を満たし、且つＵＥが圧縮モードを開始しないマルチキャリア周波数測定個数が既に周波数間／システム間の測定要求を満たした場合、前記ＵＥが圧縮モードを開始する必要がないことである。
前記ネットワーク側は、無線ネットワーク制御装置（ＲＮＣ）である。
【００４１】
以下、具体的な実施形態により本発明の技術案をさらに詳しく説明する。
実施形態１
図２は本発明に係る実施形態１においてＵＥのマルチキャリア周波数測定能力を伝送する方法のフローチャートであり、図２に示すように、当該方法は、以下のステップを含む。
ステップ２０１：ＵＥがＲＮＣとの接続を確立する必要があり、無線リソース制御接続要求（ＲＲＣ  Ｃｏｎｎｅｃｔｉｏｎ  Ｒｅｑｕｅｓｔ）メッセージを送信する。
【００４２】
ステップ２０２：ＲＮＣが、ＲＲＣ段階のリソースを割り当て、無線リソース制御接続確立（ＲＲＣ  Ｃｏｎｎｅｃｔｉｏｎ  Ｓｅｔｕｐ）メッセージをＵＥに送信する。
ステップ２０３：ＵＥが接続を成功に確立して、無線リソース制御接続確立完了（ＲＲＣ  Ｃｏｎｎｅｃｔｉｏｎ  Ｓｅｔｕｐ  Ｃｏｍｐｌｅｔｅ）メッセージをＲＮＣに送信し、当該メッセージには、前記ＵＥのマルチキャリア周波数測定能力が含まれる。
【００４３】
実施形態２
図３は本発明に係る実施形態２においてＵＥのマルチキャリア周波数測定能力を伝送する方法のフローチャートであり、図３に示すように、当該方法は、以下のステップを含む。
ステップ３０１：ＲＮＣがＵＥのマルチキャリア周波数測定能力情報を取得する必要があり、マルチキャリア周波数測定能力情報問合せ（ＵＥ  Ｃａｐａｂｉｌｉｔｙ  Ｅｎｑｕｉｒｙ）要求をＵＥに送信する。
ステップ３０２：ＵＥがＵＥの能力情報（ＵＥ  Ｃａｐａｂｉｌｉｔｙ  Ｉｎｆｏｒｍａｔｉｏｎ）メッセージを介してそのマルチキャリア周波数測定能力をＲＮＣに送信する。
【００４４】
実施形態３
図４は本発明に係る実施形態３においてＲＮＣが測定制御メッセージを送信する方法のフローチャートであり、図４に示すように、当該方法は、以下のステップを含む。
ステップ４０１：ＲＮＣがＵＥのマルチキャリア周波数測定能力に基づいて測定制御メッセージをＵＥに送信し、当該メッセージには、圧縮モードを開始するかの制御情報が含まれる。
【００４５】
ここで、ＲＮＣがＵＥのマルチキャリア周波数測定能力に基づいて圧縮モードを開始するか、及びパラメータを如何に構成するかを決定する。ＵＥによって報告されたマルチキャリア周波数測定能力（圧縮モードを開始しないマルチキャリア周波数測定個数）が既に周波数間／システム間測定の要求を満たした場合、圧縮モードを開始する必要がなく、満たさない場合、圧縮モードを開始し、又は、現在の無線品質がよりよい、ＵＥによって報告される、圧縮モードを開始しないマルチキャリア周波数測定個数が周波数間／システム間測定の要求を満たした場合、マルチキャリア周波数測定の個数を縮減し、ＵＥの能力範囲で圧縮モードを開始しない。
【００４６】
圧縮モードを開始するかは、測定制御メッセージに「専用物理チャネル圧縮モード状態情報要素（Ｄｅｄｉｃａｔｅｄ  Ｐｈｙｓｉｃａｌ  Ｃｈａｎｎｅｌ（ＤＰＣＨ）  Ｃｏｍｐｒｅｓｓｅｄ  Ｍｏｄｅ  Ｓｔａｔｕｓ  Ｉｎｆｏ）」が含まれるかどうかを介して制御され、圧縮モードを開始するようにＵＥに要求する場合、圧縮モード関連情報が含まれ、例えば、送信スロットモードシーケンス再構成接続フレーム番号、送信スロットモードシーケンス識別子、送信スロットモードシーケンス状態指示等の情報が含まれる。
【００４７】
例えば、ＵＥによって報告されたマルチキャリア周波数測定個数が３であるが、周波数間、システム間隣接セルキャリア個数が３以下である場合、測定制御メッセージを送信する時に圧縮モードを開始しない、周波数間、システム間隣接セルキャリア個数が３を超えて５であり、且つ現在の無線品質がよりよい場合、周波数間、システム間隣接セルを縮減し、その測定される他のキャリア個数を３以下にさせ、こうすると、測定制御メッセージを送信する時に圧縮モードを開始しない。現在の無線品質がよくない場合、周波数間隣接セル、システム間隣接セルを縮減せず、測定制御メッセージを送信する時に圧縮モードを開始する。
【００４８】
ステップ４０２：ＵＥが測定制御に基づいて対応する測定を行い、報告条件を満たした場合、測定報告を行う。
明らかに、本分野の当業者が了解すべきなのは、上記本発明の各モジュール又は各ステップが汎用の計算装置で実現できて、それらが単一の計算装置に集中してもよい、或いは複数の計算する装置で組み立てるネットワークに配布されてもよい、選択的に、それらが、計算装置で実行可能のプログラムコードで実現できるので、それらを記憶装置に記憶され計算装置で実行してもよい、或いは、それらをそれぞれ各集積回路モジュールを作成してもよい、それらの中に複数のモジュール又はステップを単一の集積回路モジュールを作成して実現してもよいことである。そのようにすれば、本発明がいかなる特定されたハードウェアとソフトウェアの組み合わせにも制限されることはない。
【００４９】
以上の説明は、本発明の好適な実施形態に過ぎず、本発明を限定するものではない。
【図１】
0005990169.tif 000004
【図２】
0005990169.tif 000005
【図３】
0005990169.tif 000006
【図４】
0005990169.tif 000007